【手続補正書】
【提出日】平成21年4月20日(2009.4.20)
【手続補正１】
【補正対象書類名】特許請求の範囲
【補正対象項目名】全文
【補正方法】変更
【補正の内容】
【特許請求の範囲】
【請求項１】
画像読取装置と接続され、階層構造を持つ複数のフォルダによりデータの管理を行なう記憶部を備える画像取得装置であって、
前記画像読取装置を制御する読取制御情報を生成するための情報の入力を受け付ける入力手段と、
前記複数のフォルダのうちユーザに指示された少なくとも１つのフォルダに、前記入力手段で受け付けた情報に基づいて生成された読取制御情報を格納する格納手段と、
ユーザからの指示に従い、前記複数のフォルダのうち１つを、前記画像読取装置から取得する画像データを保存するフォルダとして指定するフォルダ指定手段と、
前記フォルダ指定手段で指定したフォルダにおいて前記読取制御情報を検索する検索手段と、
前記検索手段による検索の結果に従って、前記画像読取装置による原稿の読み取りの実行を制御する制御手段と、
前記制御手段による制御により読み取られた原稿の画像データを前記画像読取装置から取得し、前記フォルダ指定手段で指定したフォルダに保存する保存手段と、
を備え、
前記検索手段は、前記フォルダ指定手段で指定したフォルダにおいて前記読取制御情報を発見できなかった場合、前記読取制御情報を発見するか又は予め定められたフォルダにおいて検索を行なうまで、前記フォルダ指定手段で指定したフォルダから１つずつ順に上位の階層のフォルダにおいて検索を行なう
ことを特徴とする画像取得装置。
【請求項２】
前記予め定められたフォルダは、ユーザ毎に異なることを特徴とする請求項１に記載の画像取得装置。
【請求項３】
前記検索手段で前記読取制御情報が発見されなかった場合、前記制御手段は、予め定められた読取制御情報に従って前記画像読取装置による原稿の読み取りの実行を制御することを特徴とする請求項１又は２に記載の画像取得装置。
【請求項４】
前記検索手段で前記読取制御情報が発見された場合、前記制御手段は、前記読取制御情報に従って前記画像読取装置による原稿の読み取りの実行を制御することを特徴とする請求項１乃至３のいずれか１項に記載の画像取得装置。
【請求項５】
画像読取装置と接続され、複数のフォルダによりデータの管理を行なう記憶部を備える画像取得装置であって、
ユーザからの指示に従い、前記記憶部が保持するデータのうち１つを指定するデータ指定手段と、
前記データ指定手段で指定したデータから前記画像読取装置を制御するための読取制御情報を抽出する抽出手段と、
前記抽出手段による抽出の結果に従って、前記画像読取装置による原稿の読み取りの実行を制御する制御手段と、
前記制御手段による制御により、前記画像読取装置が読み取った原稿の画像データを前記画像読取装置から取得し、前記データ指定手段で指定したデータが格納されているフォルダに保存する保存手段と、
を備え、
前記抽出手段が前記読取制御情報を抽出できなかった場合、前記制御手段は、予め定められた読取制御情報に従って前記画像読取装置による原稿の読み取りの実行を制御する
ことを特徴とする画像取得装置。
【請求項６】
前記抽出手段が前記読取制御情報を抽出できた場合、前記制御手段は、前記読取制御情報に従って前記画像読取装置による原稿の読み取りの実行を制御することを特徴とする請求項５に記載の画像取得装置。
【請求項７】
前記データ指定手段で指定したデータが複数のページの画像データを保持できる場合、前記保存手段は、前記制御手段による制御により前記画像読取装置が読み取った原稿の画像データを新しいページとして前記データ指定手段で指定したデータに追加して保存することを特徴とする請求項５又は６に記載の画像取得装置。
【請求項８】
前記画像読取装置を示す第１のアイコン及びデータを示す１つ以上の第２のアイコンを表示する表示手段と、
ユーザの指示によりアイコンの位置を移動させる移動手段とを更に備え、
前記データ指定手段は、前記移動手段により前記第２のアイコンの位置が前記第１のアイコンの位置に重ねられたとき、当該第２のアイコンが示すデータを指定することを特徴とする請求項５に記載の画像取得装置。
【請求項９】
前記画像読取装置を示す第１のアイコン及びフォルダを示す１つ以上の第２のアイコンを表示する表示手段と、
ユーザの指示によりアイコンの位置を移動させる移動手段とを更に備え、
前記フォルダ指定手段は、前記移動手段により前記第２のアイコンの位置が前記第１のアイコンの位置に重ねられたとき、当該第２のアイコンが示すフォルダを、前記画像読取装置が読み取った原稿の画像データを保存するフォルダとして指定することを特徴とする請求項１に記載の画像取得装置。
【請求項１０】
画像読取装置と接続され、階層構造を持つ複数のフォルダによりデータの管理を行なう記憶部を備える画像取得装置の制御方法であって、
入力手段が、前記画像読取装置を制御する読取制御情報を生成するための情報の入力を受け付ける入力工程と、
格納手段が、前記複数のフォルダのうちユーザに指示された少なくとも１つのフォルダに、前記入力工程で受け付けた情報に基づいて生成された読取制御情報を格納する格納工程と、
フォルダ指定手段が、ユーザからの指示に従い、前記複数のフォルダのうち１つを、前記画像読取装置から取得する画像データを保存するフォルダとして指定するフォルダ指定工程と、
検索手段が、前記フォルダ指定工程で指定したフォルダにおいて前記読取制御情報を検索する検索工程と、
制御手段が、前記検索工程による検索の結果に従って、前記画像読取装置による原稿の読み取りの実行を制御する制御工程と、
保存手段が、前記制御工程による制御により読み取られた原稿の画像データを前記画像読取装置から取得し、前記フォルダ指定工程で指定したフォルダに保存する保存工程と、
を備え、
前記検索工程において前記検索手段は、前記フォルダ指定手段で指定したフォルダにおいて前記読取制御情報を発見できなかった場合、前記読取制御情報を発見するか又は予め定められたフォルダにおいて検索を行なうまで、前記フォルダ指定手段で指定したフォルダから１つずつ順に上位の階層のフォルダにおいて検索を行なう
ことを特徴とする画像取得装置の制御方法。
【請求項１１】
画像読取装置と接続され、複数のフォルダによりデータの管理を行なう記憶部を備える画像取得装置の制御方法であって、
データ指定手段が、ユーザからの指示に従い、前記記憶部が保持するデータのうち１つを指定するデータ指定工程と、
抽出手段が、前記データ指定工程で指定したデータから前記画像読取装置を制御するための読取制御情報を抽出する抽出工程と、
制御手段が、前記抽出工程による抽出の結果に従って、前記画像読取装置による原稿の読み取りの実行を制御する制御工程と、
保存手段が、前記制御工程による制御により、前記画像読取装置が読み取った原稿の画像データを前記画像読取装置から取得し、前記データ指定工程で指定したデータが格納されているフォルダに保存する保存工程と、
を備え、
前記抽出工程において前記抽出手段が前記読取制御情報を抽出できなかった場合、前記制御工程において前記制御手段は、予め定められた読取制御情報に従って前記画像読取装置による原稿の読み取りの実行を制御する
ことを特徴とする画像取得装置の制御方法。
【請求項１２】
請求項１０又は１１に記載の画像取得装置の制御方法の各工程をコンピュータに実行させるためのプログラム。
【請求項１３】
請求項１２に記載のプログラムを記録したコンピュータ読み取り可能な記憶媒体。
【手続補正２】
【補正対象書類名】明細書
【補正対象項目名】００１３
【補正方法】変更
【補正の内容】
【００１３】
上記課題を解決するために、本発明の画像取得装置は、画像読取装置と接続され、階層構造を持つ複数のフォルダによりデータの管理を行なう記憶部を備える画像取得装置であって、前記画像読取装置を制御する読取制御情報を生成するための情報の入力を受け付ける入力手段と、前記複数のフォルダのうちユーザに指示された少なくとも１つのフォルダに、前記入力手段で受け付けた情報に基づいて生成された読取制御情報を格納する格納手段と、ユーザからの指示に従い、前記複数のフォルダのうち１つを、前記画像読取装置から取得する画像データを保存するフォルダとして指定するフォルダ指定手段と、前記フォルダ指定手段で指定したフォルダにおいて前記読取制御情報を検索する検索手段と、前記検索手段による検索の結果に従って、前記画像読取装置による原稿の読み取りの実行を制御する制御手段と、前記制御手段による制御により読み取られた原稿の画像データを前記画像読取装置から取得し、前記フォルダ指定手段で指定したフォルダに保存する保存手段と、を備え、前記検索手段は、前記フォルダ指定手段で指定したフォルダにおいて前記読取制御情報を発見できなかった場合、前記読取制御情報を発見するか又は予め定められたフォルダにおいて検索を行なうまで、前記フォルダ指定手段で指定したフォルダから１つずつ順に上位の階層のフォルダにおいて検索を行なうことを特徴とする。
【手続補正３】
【補正対象書類名】明細書
【補正対象項目名】００１４
【補正方法】変更
【補正の内容】
【００１４】
また、本発明の画像取得装置は、画像読取装置と接続され、複数のフォルダによりデータの管理を行なう記憶部を備える画像取得装置であって、ユーザからの指示に従い、前記記憶部が保持するデータのうち１つを指定するデータ指定手段と、前記データ指定手段で指定したデータから前記画像読取装置を制御するための読取制御情報を抽出する抽出手段と、前記抽出手段による抽出の結果に従って、前記画像読取装置による原稿の読み取りの実行を制御する制御手段と、前記制御手段による制御により、前記画像読取装置が読み取った原稿の画像データを前記画像読取装置から取得し、前記データ指定手段で指定したデータが格納されているフォルダに保存する保存手段と、を備え、前記抽出手段が前記読取制御情報を抽出できなかった場合、前記制御手段は、予め定められた読取制御情報に従って前記画像読取装置による原稿の読み取りの実行を制御することを特徴とする。